(57)【要約】【課題】多灯式放電灯点灯装置において、小形化と放電事故防止の確実化が図れる部品配置にする。【解決手段】本発明の放電灯点灯装置では、複数のインバータトランス６０、昇圧用トランス６０Ａ各々について、近接する他のトランスとそれらの２次巻線４０，４１，４０Ａ，４１Ａの電圧波形が位相、電圧ともに一致する高圧端子ＢＤ，ＣＥ，ＦＨ同士が近接して並ぶように配置することによって、近接する高電圧端子間が常に同電位となるようにし、絶縁距離を考慮する必要をなくし、放電事故等の安全性を向上させる。【選択図】      図３
2004213994.tif 000002
【特許請求の範囲】
【請求項１】
複数本の放電灯の各々を複数の昇圧用トランス各々の２次巻線の高圧端子側に接続し、全放電灯に等電圧の高圧交流を同期的に印加して同時に点灯させる放電灯点灯装置において、
前記複数の昇圧用トランス各々について、近接する他の昇圧用トランスとはそれらの２次巻線の電圧波形が位相、電圧ともに一致する高圧端子同士が近接して並ぶように配置したことを特徴とする放電灯点灯装置。
【発明の詳細な説明】
【０００１】
【発明の属する技術分野】
本発明は、放電灯点灯装置に関する。
【０００２】
【従来の技術】
パーソナルコンピュータやＯＡ機器、液晶テレビなどの液晶表示装置のバックライト用光源に適する照明装置では、表示面積の広い液晶画面を高輝度に照明するために多灯式にしてセット毎に複数本の放電灯を採用しているが、近年、液晶表示装置の画面の高輝度化、均一化の要求により、装置１セット当たりに採用する灯数は増加の傾向にある。
【０００３】
このような放電灯は、インバータ回路を用いて高周波交流を生成する点灯装置によって高圧の高周波交流を印加して点灯させるためノイズが発生しやすい。そのため、放電灯からその周囲の部品へ影響を与えるノイズを低減する対策が必要である。
【０００４】
そこで従来の多灯式の放電灯点灯装置では、図４に示すように、隣接する昇圧インバータトランス６０，６１，６２，…において、近接する他のインバータトランスの高圧端子ＢＣ間、ＤＥ間、ＦＧ間等で出力電圧波形の位相が一致し、かつ波形が反転する配置にし、結果的に複数本の放電灯各々に印加される電圧波形を近接する他の放電灯のものと位相反転する構成にしている。
【０００５】
【特許文献１】
実開昭６１−１２６５５９号公報
【０００６】
【発明が解決しようとする課題】
ところが、このような従来の放電灯点灯装置では、次のような問題点があった。搭載する放電灯の本数が増加するに伴い、駆動用のインバータ回路の数も増加することになる。しかし、インバータトランスの２次側の出力は高圧であるために、高圧端子周辺の放電防止のために基板２０上で隣接するインバータトランスの高圧端子間に絶縁距離ｄを確保する必要があり、装置ケース内のスペース使用効率が改善できない問題点がある。
【０００７】
また、多数本の放電灯それぞれを駆動するための多数のインバータ回路を限られた装置ケース内に配置するとなれば、各インバータ回路の昇圧用のインバータトランス間を近接させなければならないが、異なる昇圧用のインバータトランスの２次側高圧端子間に電圧差がある場合には放電事故が発生しかねない問題点があった。
【０００８】
本発明はこのような従来の技術的課題を解決すべく発明されたもので、複数の昇圧用トランスそれぞれの２次側を同期させ、かつ、近接する複数の昇圧用トランスの高圧２次側端子が同電位となる配置にすることによって装置ケース内のスペース効率を改善し、多灯式であっても小形化が可能な放電灯点灯装置を提供することを目的とする。
【０００９】
【課題を解決するための手段】
請求項１の発明は、複数本の放電灯の各々を複数の昇圧用トランス各々の２次巻線の高圧端子側に接続し、全放電灯に等電圧の高圧交流を同期的に印加して同時に点灯させる放電灯点灯装置において、前記複数の昇圧用トランス各々について、近接する他の昇圧用トランスとはそれらの２次巻線の電圧波形が位相、電圧ともに一致する高圧端子同士が近接して並ぶように配置したことを特徴とするものである。
【００１０】
請求項１の発明の放電灯点灯装置では、複数の昇圧用トランス各々について、近接する他の昇圧用トランスとそれらの２次巻線の電圧波形が位相、電圧ともに一致する高圧端子同士が近接して並ぶように配置することによって、近接する高電圧端子間が常に同電位となるようにして絶縁距離を考慮する必要をなくし、放電事故等の安全性を向上する。
【００１１】
【発明の実施の形態】
以下、本発明の実施の形態を図に基づいて詳説する。図１は本発明の第１の実施の形態の放電灯点灯装置の回路構成を示している。本実施の形態の放電灯点灯装置は、インバータ回路１００，１０１，１０２，…ごとに直流電源２を設けている。複数のインバータ回路１００，１０１，１０２，…それぞれは同一構成であり、一般的によく知られている共振型ロイヤーインバータ回路で構成されている。
【００１２】
インバータ回路１００，１０１，１０２，…各々は、入力側の１次巻線３と出力側の２次巻線４及び３次巻線５を有する昇圧用のインバータトランス６０，６１，６２，…と、このインバータトランス６０，６１，６２，…のインダクタンス成分とＬＣ共振回路を構成する共振用コンデンサ７と、インバータトランス６０，６１，６２，…を駆動させるためにそれぞれのエミッタが接地されているトランジスタ８，９を備えている。
【００１３】
直流電源２は、一方のトランジスタ８に駆動電流を供給するために、抵抗１１を直列に介してインバータ回路１００，１０１，１０２，…各々の入力側であるトランジスタ８のベースに接続してある。それぞれのエミッタが接地されている１対のトランジスタ８，９のコレクタ間には、インバータトランス６の中間タップが設けられた１次巻線３を並列に接続してあり、また、共振用コンデンサ７も並列に接続してある。
【００１４】
直流電源２はまた、インバータ回路１００，１０１，１０２，…各々への入力電流を定電流化するため、チョークコイルより成るインダクタ１２を直列に介してインバータトランス６０，６１，６２，…の１次巻線３の中間タップに接続してある。
【００１５】
インバータトランス６０，６１，６２，…各々の２次巻線４は、１次巻線３よりも多く巻くことによって、２次側電圧が昇圧されるようにしてある。インバータトランス６０，６１，６２，…各々の２次巻線４の一端は接地し、他端には、電極を介して並列に冷陰極放電灯１１０，１１１，１１２，…各々を接続し、冷陰極放電灯１１０，１１１，１１２，…それぞれに高圧高周波数交流を印加するようにしてある。
【００１６】
インバータトランス６０，６１，６２，…各々に設けた３次巻線５の一端はトランジスタ８のベース側に、他端はトランジスタ９のベース側にそれぞれ接続して、３次巻線５に発生した電圧をトランジスタ８，９のベースに帰還して印加するようにしてある。
【００１７】
インバータ回路１００，１０１，１０２，…各々の一次側に同期用トランス１５が設けてあり、この同期用トランス１５の１次巻線が各共振用コンデンサ７に並列に接続してある。
【００１８】
図２に示すように、各インバータ回路１００，１０１，１０２，…のインバータトランス６０，６１，６２，…の物理的な配置については、基板２０上において、近接する他のインバータトランスとそれらの２次巻線の高圧端子の同一電圧波形をとる端子ＢＤ，ＣＥ，ＦＨ同士が近接して並ぶように配置してある。
【００１９】
次に、上記構成の第１の実施の形態の放電灯点灯装置の動作について説明する。直流電源２が印加されると、各インダクタ１２を通してインバータトランス６０，６１，６２，…各々の１次巻線３に電流が流れ、同時に直流電源２から出力された電圧が抵抗１１を介してトランジスタ８のベースに印加される。
【００２０】
インバータトランス６０，６１，６２，…各々の１次巻線３と３次巻線５のリアクタンスと共振コンデンサ７とで共振し、インバータトランス６０，６１，６２，…の３次巻線５の端子間に、インバータトランス６０，６１，６２，…の１次巻線３と３次巻線５の巻数比だけ昇圧された高電圧が誘起され、同時に、インバータトランス６０，６１，６２，…の３次巻線５には、１次巻線３に流れる電流の方向と同一方向に電流が流れて自励発振し、共振周波数でトランジスタ８，９を交互に導通させる。
【００２１】
インバータ回路１００，１０１，１０２のインバータトランス６０，６１，６２，…各々の１次側の同期用トランス１５は、その２次巻線が他のインバータ回路における同期用トランス１５の２次巻線と並列に接続されているので、インバータトランス６０，６１，６２，…各々の１次側が共振周波数に位相同期して動作することになる。
【００２２】
インバータ回路１００，１０１，１０２のインバータトランス６０，６１，６２，…各々は、その１次巻線３と２次巻線４との巻数比だけ昇圧する。この結果として、複数本の冷陰極放電灯１１０，１１１，１１２，…各々が位相の一致した交流により点灯される。
【００２３】
図２に示すように、この多灯式放電灯点灯装置の点灯動作においては、インバータトランス６０，６１，６２，…の２次側高圧端子ＡＢ，ＣＤ，ＥＦ，…について、近接する他のインバータトランスの高圧端子の同一電圧波形をとる端子ＢＤ，ＣＥ，ＦＨ同士が近接して並ぶように配置してあるので、近接する高圧端子ＢＤ，ＣＥ，ＦＨ間は常に同電圧で変動する。このため、近接する高圧端子ＢＤ，ＣＥ，ＦＨ間に電圧差が発生することはなく、それに起因する放電も発生することはない。
【００２４】
このように近接する高圧端子間で放電が発生することがないため、異なるインバータトランスの高圧端子ＢＤ，ＣＥ，ＦＨ間の絶縁距離を極力短くすることができ、基板２０上への実装においてスペース効率を良くすることができ、基板が同じ面積であれば従来よりも多数本の放電灯の組み込みが図れ、逆に従来と同一本数の放電灯を点灯させるにはより狭い面積の基板に実装できることになる。
【００２５】
次に、本発明の第２の実施の形態の放電灯点灯装置について、図３を用いて説明する。第２の実施の形態の回路的な特徴は、インバータ回路１００，１０１，１０２，…各々がインバータトランス６０，６１，６２，…と昇圧用トランス６０Ａ，６１Ａ，６２Ａ，…を備え、これらのインバータトランス６０，６１，６２，…と昇圧用トランス６０Ａ，６１Ａ，６２Ａ，…各々の２次側に、２次巻線４０，４１と共にこれらと逆相で動作する第２の２次巻線４０Ａ，４１Ａを備えている点にある。なお、図１、図２と共通する回路部品には同一の符号を付して示してある。ただし、１１０Ａ，１１１Ａ，…は放電灯１１０，１１１，…それぞれに対する給電電極を示している。
【００２６】
そして第２の実施の形態の物理的な回路部品の配置として、例えば、インバータ回路１００内のインバータトランス６０と昇圧用トランス６０Ａ各々において、２次巻線４０と第２の２次巻線４１との組、また２次巻線４０Ａと第２の２次巻線４１Ａとの組を、同位相で同電圧波形となる高圧端子同士が近接する配置にしたことを特徴とする。他のインバータ回路１０１，１０２，…のインバータトランス６１と昇圧用トランス６１Ａ、インバータトランス６２と昇圧用トランス６２Ａ等でも同様である。加えて、隣接するインバータ回路１００，１０１間、またインバータ回路１０１，１０２間等において、一方の昇圧用トランス６０Ａと他方のインバータトランス６１との間、また昇圧用トランス６１Ａとインバータトランス６２との間等においても、第２の２次巻線４１Ａと２次巻線４１との組を、同位相で同電圧波形となる高圧端子同士が近接する配置にしてある。
【００２７】
これにより、第２の実施の形態にあっても、近接する２次巻線と第２の２次巻線とが、図２に示したような電圧波形をとることになり、近接する高圧端子間が常に同一電圧で変動して両者間に電圧差が発生することがなく、この結果として、異なるインバータトランスの高圧端子ＢＤ，ＣＥ，ＦＨ間の絶縁距離を極力短くすることができ、基板２０上への実装においてスペース効率を良くすることができる。
【００２８】
【発明の効果】
以上のように本発明によれば、複数の昇圧用トランス各々について、近接する他の昇圧用トランスとそれらの２次巻線の電圧波形が位相、電圧ともに一致する高圧端子同士が近接して並ぶように配置したので、近接する高電圧端子間が常に同電位となり、設計において絶縁距離を考慮する必要がなく、スペース効率を良くすることができ、また放電事故等の安全性を向上できる。
【図面の簡単な説明】
【図１】本発明の第１の実施の形態の回路図。
【図２】上記実施の形態のレイアウト及び高圧端子各々の電圧波形を示す図。
【図３】本発明の第２の実施の形態の回路図。
【図４】従来例のレイアウト及び高圧端子各々の電圧波形を示す図。
【符号の説明】
１００，１０１，１０２，…  インバータ回路
１１０，１１１，１１２，…  放電灯
３  １次巻線
３Ａ  １次巻線
４  ２次巻線
４０，４１  ２次巻線
４０Ａ，４１Ａ  ２次巻線
６０，６１，６２，…  インバータトランス
６０Ａ，６１Ａ，６２Ａ，…  昇圧用トランス
【図１】
2004213994.tif 000003
【図２】
2004213994.tif 000004
【図３】
2004213994.tif 000005
【図４】
2004213994.tif 000006